(57)【要約】      （修正有）【課題】荷物を運びやすいバッグを提供する。【解決手段】バッグ１００は、背中に背負うバッグ、又は、肩から前に掛けるバッグ本体であって、身体側に位置する第１生地と、前記第１生地との間に収納空間を挟んで位置する第２生地とを有するバッグ本体と、前記バッグ本体の上部と下部とに接続される肩ストラップと、前記バッグ本体の収納空間に所定物を収納した状態で、前記第１生地と前記第２生地とを留める留具とを含む。【選択図】図５
0003222882.tif 000002
【実用新案登録請求の範囲】
【請求項１】
背中に背負うバッグ、又は、肩から前に掛けるバッグ本体であって、身体側に位置する第１生地と、前記第１生地との間に収納空間を挟んで位置する第２生地とを有するバッグ本体と、
前記バッグ本体の上部と下部とに接続される肩ストラップと、
前記バッグ本体の収納空間に所定物を収納した状態で、前記第１生地と前記第２生地とを留める留具と
を含む、バッグ。
【請求項２】
前記留具は、前記留具で前記第１生地と前記第２生地とを留めていない状態に比べて、前記第１生地と前記第２生地とを留めることによって前記所定物の重心を身体側に引き寄せる、請求項１記載のバッグ。
【請求項３】
前記留具は、前記肩ストラップが前記バッグ本体の上部に接続される位置よりも上側に設けられる、請求項１又は２記載のバッグ。
【考案の詳細な説明】
【技術分野】
【０００１】
本考案は、バッグに関する。
【背景技術】
【０００２】
従来より、バックパック本体と、少なくとも２つの肩支持部材と、バックパック本体の側面の１つに隣接して配置された少なくとも１つの面支持部材であって、バックパック本体の外面と該側面の１つとの間の接合部においてバックパック本体に接続された近位端と、肩支持部材の遠位端と近位端との間で肩該肩支持部材の１つに接続された遠位端とを有する、少なくとも１つの面支持部材とを備えるバッグ（バックパック）がある（例えば、特許文献１参照）。
【先行技術文献】
【特許文献】
【０００３】
【特許文献１】特開２００４−３１３８００号公報
【考案の概要】
【考案が解決しようとする課題】
【０００４】
ところで、従来のバッグは、荷物を入れた状態で荷物が背中から離れる方向に偏っても、偏りを修正することはできず、背負いにくい状態になる。また、これはバッグをお腹側に掛けても同様である。このような傾向は、荷物が長尺物であり、ある程度重量がある場合に顕著である。
【０００５】
そこで、荷物を運びやすいバッグを提供することを目的とする。
【課題を解決するための手段】
【０００６】
本考案の実施の形態のバッグは、背中に背負うバッグ、又は、肩から前に掛けるバッグ本体であって、身体側に位置する第１生地と、前記第１生地との間に収納空間を挟んで位置する第２生地とを有するバッグ本体と、前記バッグ本体の上部と下部とに接続される肩ストラップと、前記バッグ本体の収納空間に所定物を収納した状態で、前記第１生地と前記第２生地とを留める留具とを含む。
【考案の効果】
【０００７】
荷物を運びやすいバッグを提供することができる。
【図面の簡単な説明】
【０００８】
【図１】バッグ１００を示す図である。
【図２】バッグ１００を示す図である。
【図３】バッグ１００を示す図である。
【図４】留具１３０を示す図である。
【図５】キッズバイク１０を収納したバッグ１００を利用者が背負っている状態を示す図である。
【考案を実施するための形態】
【０００９】
以下、本考案のバッグを適用した実施の形態について説明する。
【００１０】
＜実施の形態＞
図１乃至図３は、バッグ１００を示す図である。バッグ１００は、一例として、子供用のペダル無し二輪車（以下、キッズバイク）１０を収納し、利用者が背負うタイプ（背負い型）のバッグである。利用者は、一例として大人を想定している。図１にはキッズバイク１０の形状を示すが、図２及び図３では省略する。
【００１１】
以下ではＸＹＺ直交座標系を用いて説明する。Ｘ方向は、バッグ１００を背負う利用者の幅方向（横方向）であり、Ｙ方向は前後方向（＋Ｙ方向が前、−Ｙ方向が後）であり、Ｚ方向は、バッグ１００を背負った利用者が立っている状態における上下方向に相当する。また、ＸＺ面視することを平面視と称す。
【００１２】
バッグ１００は、バッグ本体１１０、肩ストラップ１２０、及び留具１３０を含む。
【００１３】
バッグ本体１１０は、＋Ｙ方向側の生地１１１、−Ｙ方向側の生地１１２、及びファスナ１１３を有する。生地１１１及び１１２は、ナイロン等の化学繊維や綿等の様々な生地であってよい。生地１１１及び１１２は、平面視で略同一の形状を有し、キッズバイク１０に合わせた形状を有する。生地１１１及び１１２は、それぞれ、第１生地及び第２生地の一例である。
【００１４】
生地１１１及び１１２は、外周に沿って縫い合わされており、一部の区間がファスナ１１３によって開閉可能に構成されている。生地１１１及び１１２によって囲まれる空間は、バッグ１００の収納空間であり、キッズバイク１０を収納可能である。
【００１５】
ファスナ１１３は、線ファスナであり、下端１１３Ａから上端１１３Ｂまでが開閉自在であり、開けた状態でキッズバイク１０をバッグ本体１１０の内部に収納することができる。キッズバイク１０は、ハンドルがバッグ本体１１０の外に飛び出した状態で、前輪、後輪、フレーム、及びサドルがバッグ本体１１０の内部に収納される。
【００１６】
肩ストラップ１２０は、生地１１１の外側（＋Ｙ方向側の面）に２つ設けられている。肩ストラップ１２０の上端１２１と下端１２２は、生地１１１に縫いつけられており、長さを調整可能に構成されていてもよい。上下方向における上端１２１の位置は、バッグ本体１１０の上端よりも約１／３程度下である。
【００１７】
利用者は、２つの肩ストラップ１２０を両肩に掛けることで、バッグ１００を背中に背負うことができる。なお、肩ストラップ１２０の上端１２１の位置は、バッグ本体１１０の上端よりも約１／３程度下の位置には限られないが、後述する留具１３０による効果を得るためには、バッグ本体１１０の上側の一部分が肩ストラップ１２０の上端１２１よりも上に位置していることが好ましい。
【００１８】
なお、バッグ１００は、利用者が肩から前に（お腹側に）掛けて使ってもよい。また、ここでは２つの肩ストラップ１２０を示すが、肩ストラップ１２０は１つであってもよい。
【００１９】
留具１３０は、オス部１３１とメス部１３２を有するヒネリ金具（ヒネリ留具）である。オス部１３１及びメス部１３２は、平面視における位置が等しい。オス部１３１及びメス部１３２は、上下方向において、肩ストラップ１２０の上端１２１よりも上側に設けられている。
【００２０】
ここで、留具１３０に関しては、図１乃至図３に加えて図４を用いて説明する。図４は、留具１３０を示す図である。
【００２１】
オス部１３１は、基部１３１Ａとロック部１３１Ｂとを有する。基部１３１Ａは、生地１１２の内側の表面（＋Ｙ方向側の面）に取り付けられており、ロック部１３１Ｂは、平面視で長方形の直方体状の部材である（図４（Ａ）参照）。ロック部１３１Ｂは、基部１３１Ａに対して回転自在である。このようなオス部１３１は、金属製であり、表面にめっきが施されている。
【００２２】
メス部１３２は、生地１１１に設けられた開口部に取り付けられており、金属板の中央に開口部１３２Ａを設けた構成を有する（図４（Ａ）参照）。開口部１３２Ａの平面視でのサイズ及び形状は、オス部１３１のロック部１３１Ｂに合わせられている。
【００２３】
このようなオス部１３１のロック部１３１Ｂをメス部１３２の開口部１３２Ａに挿入し、図４（Ｂ）に示すように９０度回転させることにより、オス部１３１とメス部１３２が係合した状態になる。
【００２４】
図５は、キッズバイク１０を収納したバッグ１００を利用者が背負っている状態を示す図である。図５（Ａ）には、留具１３０のオス部１３１とメス部１３２を係合させていない状態で利用者がバッグ１００を背負っている状態を示し、図５（Ｂ）には、留具１３０のオス部１３１とメス部１３２を係合させた状態で利用者がバッグ１００を背負っている状態を示す。
【００２５】
留具１３０のオス部１３１とメス部１３２を係合させていない状態では、キッズバイク１０の自重によって上側に位置する前輪側が利用者の後方に倒れてしまい、バッグ１００と背中の間に隙間が生じる。
【００２６】
これに対して、図５（Ｂ）に示すように留具１３０のオス部１３１とメス部１３２を係合させた状態では、留具１３０のオス部１３１が生地１１２を生地１１１側に引っ張るので、図５（Ａ）に示す状態よりもキッズバイク１０が利用者の背中側に引き寄せられ、バッグ１００と背中の間に隙間が少なくなる。
【００２７】
図５（Ｂ）に示す状態では、図５（Ａ）の状態に比べて、キッズバイク１０の重心は利用者の背中側に引き寄せられており、背中の間に隙間が少なくなるため、利用者はキッズバイク１０を背負いやすくなり、格段に運びやすくなる。利用者が歩行する際に、キッズバイク１０の揺れが少なくなるからである。
【００２８】
したがって、実施の形態によれば、荷物を運びやすいバッグを提供することができる。
【００２９】
キッズバイク１０のような超尺物を上下方向に立てて収納すると、上側が後向きに倒れやすくなる。このようなキッズバイク１０を運ぶ際に、肩ストラップ１２０の上端１２１よりも上側に設けた留具１３０を留めれば、キッズバイク１０全体を背中側に引き寄せることができ、キッズバイク１０の重心が背中側に引き寄せられるため、持ち運びが非常に楽になる。
【００３０】
なお、以上では、留具１３０が肩ストラップ１２０の上端１２１よりも上側に設けられている形態について説明したが、留具１３０は、肩ストラップ１２０の下端１２２よりも上側であれば、上端１２１よりも下側に設けられていてもよい。下端１２２よりも上側であれば、上端１２１よりも下側であっても、生地１１１に生地１１２を引き寄せることができ、キッズバイク１０の重心を利用者側に引き寄せることが可能だからである。
【００３１】
また、以上では、生地１１２にオス部１３１が設けられ、生地１１１にメス部１３２が設けられる形態について説明したが、逆であってもよい。また、留具１３０は２つ以上あってもよい。
【００３２】
また、以上では、留具１３０がオス部１３１とメス部１３２を有するヒネリ金具（ヒネリ留具）である形態について説明したが、留具１３０はヒネリ金具（ヒネリ留具）に限られない。例えば、磁石や紐を用いた留具であってもよい。
【００３３】
また、バッグ本体１１０にキッズバイク１０を収納する形態について説明したが、キッズバイク１０以外の物であってもよい。例えば、スノーボードやスケートボードであってもよい。スノーボードやスケートボードを収納する場合に、上述のような留具１３０では生地１１１及び１１２を留められない場合には、紐を用いた留具を用いればよい。例えば、生地１１２の内面に紐を取り付け、生地１１１に設けたメス部１３２のような孔部を２つ設け、ボードの左右を通した紐を２つの孔部に挿通させて、生地１１１の外表面で結べばよい。
【００３４】
また、バッグ本体１１０の外部にはポケット等を設けてもよい。
【００３５】
以上、本考案の例示的な実施の形態のバッグについて説明したが、本考案は、具体的に開示された実施の形態に限定されるものではなく、特許請求の範囲から逸脱することなく、種々の変形や変更が可能である。
【符号の説明】
【００３６】
１００  バッグ
１１０  バッグ本体
１２０  肩ストラップ
１３０  留具
１１１、１１２  生地
１１３Ａ  下端
１１３Ｂ  上端
【図１】
0003222882.tif 000003
【図２】
0003222882.tif 000004
【図３】
0003222882.tif 000005
【図４】
0003222882.tif 000006
【図５】
0003222882.tif 000007